(57)【特許請求の範囲】
【請求項１】
床下空間部が断熱基礎で囲まれ、室内の熱が床下空間部に伝えられるようになされている断熱基礎建物において、その床下空間部に収納部が設けられ、
この収納部に対し、断熱材が、室内及び床下空間部からの熱伝導を阻止する態様で設けられ、かつ、この収納部の底側に、ペルチェ素子からなる冷却素子が設置され、該ペルチェ素子は、その冷却面側が収納部内に向けられ、加熱面側が地中の側に向けられ、加熱面側で発する熱が地中に伝えられるようになされていることを特徴とする床下収納構造。
【発明の詳細な説明】
【０００１】
【発明の属する技術分野】
本発明は、断熱基礎を採用する建物における床下収納構造に関する。
【０００２】
【従来の技術及び課題】
北海道などの例えば寒冷地に建てられる住宅等の建物の基礎として、コンクリートの布基礎を発泡系等の断熱材で覆った断熱基礎を採用する場合がある。この断熱基礎を採用する断熱基礎建物では、床下空間部が、基礎の断熱材で囲まれているため、冬期において、床上の暖かい暖房熱が床下空間部に伝えられ、床下空間部が室内の温度と同じあるいは室内温度の近い暖かい温度状態になる。
【０００３】
そのため、床下空間部は、建物において有効的な収納保存空間であるにもかかわらず、ここに、食品、例えばジャガイモやタマネギなどを収納しておくと、床下空間部の熱によって芽が出てしまい、ワインの場合には変質を起こしてしまうなどの問題を生じることがあり、うまい具合に保存するのが難しいという問題がある。
【０００４】
本発明は、上記のような問題点に鑑み、断熱基礎を採用する建物において、その床下空間部で食品等を不具合を生じさせることなく保存することができる床下収納構造を提供することを課題とする。
【０００５】
【課題を解決するための手段】
上記の課題は、床下空間部が断熱基礎で囲まれ、室内の熱が床下空間部に伝えられるようになされている断熱基礎建物において、その床下空間部に収納部が設けられ、
この収納部に対し、断熱材が、室内及び床下空間部からの熱伝導を阻止し、かつ、床下のベース面を通じて地中熱を内部に伝えることができる態様で設けられていることを特徴とする床下収納構造によって解決される。
【０００６】
この構造では、断熱基礎を採用する建物の床下空間部での収納でありながら、この収納部に対し、断熱材が、室内及び床下空間部からの熱伝導を阻止する態様で備えられているから、冬期に、室内及び床下空間部から収納部に暖房熱が伝わらず、しかも、断熱材は、床下のベース面を通じて地中熱を内部に伝えることができる態様で設けられているから、収納部へは床下空間部や室内よりも冷たい地中からの冷気が伝えられるから、収納部内は、床下空間部や室内よりもひんやりしたものになる。例えば、北海道などの寒冷地では、冬期の室内の温度を２０°Ｃにすると、断熱基礎建物では、床下温度も２０°Ｃないしはそれ近くまで上昇するが、床下空間部の下の地面は８℃程度であり、地中からのこの冷気が断熱材に覆われた収納部内に伝えられ、そのため、収納部はひんやりしたものになる。従って、ジャガイモやタマネギを収納しても、芽の吹出しを抑制ないしは防止することができ、ワインなども変質させることなく保管することができる。
【０００７】
また、上記の課題は、床下空間部が断熱基礎で囲まれ、室内の熱が床下空間部に伝えられるようになされている断熱基礎建物において、その床下空間部に収納部が設けられ、
この収納部に対し、断熱材が、室内及び床下空間部からの熱伝導を阻止する態様で設けられ、かつ、この収納部内に屋外の空気を導入する手段が備えられていることを特徴とする床下収納構造によって解決される。
【０００８】
この構造では、冬期に、室内及び床下空間部から収納部に暖房熱が伝わらず、しかも、この収納部内に屋外の空気を導入する手段が備えられているので、収納部へは床下空間部や室内よりも冷たい外気が導入されるから、収納部内は、床下空間部や室内よりもひんやりしたものになる。
【０００９】
また、上記の課題は、床下空間部が断熱基礎で囲まれ、室内の熱が床下空間部に伝えられるようになされている断熱基礎建物において、その床下空間部に収納部が設けられ、
この収納部に対し、断熱材が、室内及び床下空間部からの熱伝導を阻止する態様で設けられ、かつ、この収納部内に冷却素子が備えられていることを特徴とする床下収納構造によって解決される。
【００１０】
この構造では、冬期に、室内及び床下空間部から収納部に暖房熱が伝わらず、しかも、この収納部内に冷却素子が備えられているので、収納部内を冷却素子で冷やすことができ、収納部内を、床下空間部や室内よりもひんやりしたものにすることができる。
【００１１】
そのような冷却素子として、例えば、設置スペースをとらずコンパクトに組み込むことができるペルチェ素子が用いられるとよい。その場合に、ペルチェ素子は、収納部の底側に設置され、その冷却面側が収納部内に向けられ、加熱面側が地中の側に向けられ、加熱面側で発する熱が地中に伝えられるようになされていると、ペルチェ素子による冷却効果を高いものにすることができる。
【００１２】
【発明の実施の形態】
次に、本発明の実施形態を図面に基づいて説明する。
【００１３】
図１に示す第１実施形態に示す断熱基礎建物において、１は布基礎、２は外壁、３は床、４は床上の室内、５は床下空間部であり、布基礎１は、コンクリート基礎本体部１ａの屋外側と屋内側の両方の面が発泡系等の断熱材１ｂ，１ｂで覆われた断熱基礎に形成されている。そのため、室内４を暖房すると、その暖房熱が床３を通じて床下空間部５に伝えられ、床下空間部５は室内４と同じ温度かそれに近い温度になる。
【００１４】
この断熱基礎建物において、床下空間部５には、収納部６が設けられており、床３に設けられた取出し口７を通じて収納物の出し入れを行うことができるようになされている。
【００１５】
この収納部６には、発泡系断熱材８が、室内４及び床下空間部５からの熱伝導を阻止し、かつ、床下のベース面９を通じて地中１０の熱を内部に伝えることができる態様で設けられている。
【００１６】
従って、断熱基礎を採用する建物の床下空間部５での収納でありながら、冬期に、室内４及び床下空間部５からの暖房熱が収納部６内に伝わらず、しかも、断熱材８は、床下のベース面９を通じて地中からのひんやりとした冷気が伝えられるから、収納部６内は、床下空間部５や室内４よりもひんやりしたものになる。これにより、ジャガイモやタマネギをこの収納部６に収納すれば、芽の吹出しが抑制ないしは防止され、ワインなども変質することなくうまい具合に保管できる。
【００１７】
図２（イ）に示す第２実施形態では、上記の第１実施形態の収納部６に、屋外の空気を導入する手段としての外気導入管１１が接続されている。また、この外気導入に対応して収納部６内の空気を排気する排気管１２も接続されている。
【００１８】
この構造では、冬期に、室内４及び床下空間部５からの暖房熱が収納部６に伝わらず、しかも、収納部内には外気導入管１１を通じて冷たい外気が導入されるので、収納部６内はひんやりしたものになる。なお、外気導入管１１、排気管１２には、必要に応じて送風用のファンを備えさせるようにしてもよい。また、図面では、収納部６の床下ベース面側の断熱材は省略されていが、ここにも断熱材を設けるようにしてもよい。
【００１９】
図２（ロ）に示す第３実施形態では、上記の第１実施形態の収納部６内に冷却素子１３が備えられており、この冷却素子１３で、収納部６内を冷却できるようになされており、この冷却素子１３で収納部６を冬期暖房時に床下空間部５や室内４よりもひんやりしたものにすることができる。
【００２０】
本実施形態では、この冷却素子１３としてペルチェ素子が用いられており、このペルチェ素子１３は収納部６の底側に設置され、その冷却面１３ａ側を収納部６内に向け、加熱面１３ｂ側を地中１０の側に向け、加熱面１３ｂ側で発する熱が地中１０に放散されるようになされている。なお、冷却素子してそのほかの素子が用いられてもよいし、その設置位置も組込み状態も種々の態様に決められてよい。また、この第３実施形態のタイプにおいて、収納部６の床下ベース面側の断熱材は省略されているが、ここにも断熱材を設けるようにしてもよい。
【００２１】
【発明の効果】
本発明は、以上のとおりのものであるから、断熱基礎を採用する建物において、その床下空間部で食品等を不具合を生じさせることなく保存することができる。
【図面の簡単な説明】
【図１】第１実施形態の床下収納構造を示す断面正面図である。
【図２】図（イ）は第２実施形態の床下収納構造を示す断面正面図、図（ロ）は第３実施形態の床下収納構造を示す断面正面図である。
【符号の説明】
１…断熱基礎
３…床
４…室内
５…床下空間部
６…収納部
８…断熱材
９…床下ベース面
１０…地中
１１…外気導入管（外気導入手段）
１３…ペルチェ素子（冷却素子）
【図１】
0004791662.tif 000002
【図２】
0004791662.tif 000003